(57)【要約】【課題】複合材の材料の加熱硬化時間の短縮を図ることが可能な成形治具、及び複合材の製造方法を提供する。【解決手段】オートクレーブ１内で複合材ＣのプリプレグシートＰの加熱を行う際に用いられる成形治具１００であって、オートクレーブ１内の支持部材１８の架台１８ｂ上に設置されるとともに、プリプレグシートＰが表面に貼り付けられる治具本体２０の貼り付け部２２と、架台１８ｂと貼り付け部２２との間に介在されて上記表面とは反対側の裏面に接触し、治具本体２０の材質に比べて熱伝導率の小さい材質からなる断熱部材２１とを備えている。【選択図】図１
2020147009.tif 000002
【特許請求の範囲】
【請求項１】
加熱装置内で複合材の熱硬化性材料の加熱を行う際に用いられる成形治具であって、
前記加熱装置内の支持部材上に設置されるとともに、前記熱硬化性材料が表面に貼り付けられる治具本体と、
前記支持部材と前記治具本体との間に介在されて前記表面とは反対側の裏面に接触し、前記治具本体の材質に比べて熱伝導率の小さい材質からなる断熱部材と、
を備える複合材の成形治具。
【請求項２】
前記治具本体は、
前記熱硬化性材料が表面に貼り付けられる貼り付け部と、
前記貼り付け部に積層されて前記貼り付け部における前記表面とは反対側の裏面側から前記貼り付け部を支持するとともに、加熱前に前記貼り付け部とは分離可能な基部と、
を有する請求項１に記載の複合材の成形治具。
【請求項３】
加熱装置内で複合材の熱硬化性材料の加熱を行う際に用いられる成形治具であって、
前記加熱装置内の支持部材上に設置されるとともに、前記熱硬化性材料が表面に貼り付けられる貼り付け部と、
前記貼り付け部に積層されて前記貼り付け部を前記表面とは反対側の裏面側から支持するとともに、加熱前に前記貼り付け部とは分離可能な基部と、
を備える複合材の成形治具。
【請求項４】
前記貼り付け部及び前記基部は同じ材質からなるブロック状をなし、
前記基部の表面と前記貼り付け部の前記裏面とが同じ表面積を有して面接触することで、前記基部に前記貼り付け部を積層した状態で、前記基部が前記貼り付け部を該貼り付け部の前記裏面側から支持可能な請求項２又は３に記載の複合材の成形治具。
【請求項５】
複合材の成形治具の治具本体の表面に熱硬化性材料を貼り付ける工程と、
前記熱硬化性材料の加熱を行う加熱装置内に設けられた支持部材上に、前記治具本体の材質よりも熱伝導率の小さい材質からなる断熱部材を設置する工程と、
前記表面とは反対側の裏面に前記断熱部材が接触するように前記断熱部材上に前記熱硬化性材料を貼り付けた前記治具本体を設置する工程と、
前記熱硬化性材料及び前記治具本体を前記断熱部材上に設置した後に、前記加熱装置によって前記熱硬化性材料及び前記治具本体を加熱する工程と、
を含む複合材の製造方法。
【請求項６】
前記治具本体上に前記熱硬化性材料を貼り付ける工程を実行した後であって、前記断熱部材上に前記治具本体及び前記熱硬化性材料を設置する前に、前記治具本体における前記熱硬化性材料を表面に貼り付けた貼り付け部から、前記貼り付け部に積層されて前記貼り付け部における前記表面とは反対側の裏面側から前記貼り付け部を支持する基部を分離して取り除く工程をさらに含む請求項５に記載の複合材の製造方法。
【請求項７】
複合材の成形治具の治具本体に、熱硬化性材料を貼り付ける工程と、
前記熱硬化性材料を表面に貼り付けた前記治具本体における貼り付け部から、前記貼り付け部に積層されて前記貼り付け部の前記表面とは反対側の裏面側から前記貼り付け部を支持する基部を分離して取り除く工程と、
前記裏面に前記支持部材が接触するように前記支持部材上に前記熱硬化性材料を貼り付けた前記貼り付け部を設置する工程と、
前記熱硬化性材料及び前記貼り付け部を前記支持部材上に設置した後に、前記加熱装置によって前記熱硬化性材料及び前記貼り付け部を加熱する工程と、
を含む複合材の製造方法。
【発明の詳細な説明】
【技術分野】
【０００１】
本発明は、複合材を成形する成形治具、及び複合材の製造方法に関する。
【背景技術】
【０００２】
複合材として、例えば航空機や産業機械等の構成部品に用いられる繊維強化プラスチック（ＦＲＰ）が一般に知られている。
【０００３】
特許文献１に示すように、繊維強化プラスチックは、繊維状の補強材に熱硬化性樹脂を含侵させた後に半硬化状態とした熱硬化性材料（プリプレグシート）を成形治具に貼り付けた後に、オートクレーブ等の加熱装置を用いて高圧下で加熱硬化させることで成形される。複合材の他の成形方法としては、加圧作用のない硬化炉内にて熱硬化性材料を硬化させる方法や、治具のみを加熱して熱硬化性材料を硬化させる方法も知られている。
【先行技術文献】
【特許文献】
【０００４】
【特許文献１】特開２０１２−１４８５２２号公報
【発明の概要】
【発明が解決しようとする課題】
【０００５】
上記の加熱装置では、熱硬化性材料（プリプレグシート）を成形治具に貼り付けた状態で熱硬化性材料を成形治具とともに加熱する。熱硬化性材料の温度と成形治具の温度とが均一になるまでこれらを加熱する必要があるものの、熱硬化性材料と比較して成形治具の熱容量は大きいため、熱硬化性材料の温度と成形治具の温度とが均一になるまで加熱するためには非常に時間を要する。
【０００６】
そこで本発明は複合材の材料の加熱硬化時間の短縮を図ることが可能な成形治具、及び複合材の製造方法を提供する。
【課題を解決するための手段】
【０００７】
即ち、本発明の一態様に係る複合材の成形治具は、加熱装置内で複合材の熱硬化性材料の加熱を行う際に用いられる成形治具であって、前記加熱装置内の支持部材上に設置されるとともに、前記熱硬化性材料が表面に貼り付けられる治具本体と、前記支持部材と前記治具本体との間に介在されて前記表面とは反対側の裏面に接触し、前記治具本体の材質に比べて熱伝導率の小さい材質からなる断熱部材と、を備えている。
【０００８】
このような成形治具によれば、治具本体に熱硬化性材料が貼り付けられた状態で、治具本体とともに熱硬化性材料が加熱された際、治具本体の裏面側から支持部材への放熱が断熱部材によって抑えられる。このため治具本体が昇温し易くなり、治具本体の加熱時間を短縮することができる。
【０００９】
また上記の成形治具では、前記治具本体は、前記熱硬化性材料が表面に貼り付けられる貼り付け部と、前記貼り付け部に積層されて前記貼り付け部における前記表面とは反対側の裏面側から前記貼り付け部を支持するとともに、加熱前に前記貼り付け部とは分離可能な基部と、を有していてもよい。
【００１０】
また、本発明の一態様に係る複合材の成形治具は、加熱装置内で複合材の熱硬化性材料の加熱を行う際に用いられる成形治具であって、前記加熱装置内の支持部材上に設置されるとともに、前記熱硬化性材料が表面に貼り付けられる貼り付け部と、前記貼り付け部に積層されて前記貼り付け部を前記表面とは反対側の裏面側から支持するとともに、加熱前に前記貼り付け部とは分離可能な基部と、を備えている。
【００１１】
治具本体が、基部と貼り付け部とに分離可能であることで、治具本体に熱硬化性材料を貼り付けた後に、材料が貼り付けられていない基部を分離し、材料が貼り付けられた貼り付け部のみを加熱装置で加熱することができる。この結果、加熱前には貼り付け部と基部とを含むことで容積が大きい状態で治具本体に熱硬化性材料を貼り付けることができるため、熱硬化性材料を貼り付ける際の作業性が低下することがない。また加熱時には貼り付け部から基部を分離して取り除くことで治具本体の容積を小さくでき、治具本体の熱容量を小さくできる。このため、治具本体が昇温し易くなり、治具本体の加熱時間を短縮することができる。
【００１２】
また上記の成形治具では、前記貼り付け部及び前記基部は同じ材質からなるブロック状をなし、前記基部の表面と前記貼り付け部の前記裏面とが同じ表面積を有して面接触することで、前記基部に前記貼り付け部を積層した状態で、前記基部が前記貼り付け部を該貼り付け部の前記裏面側から支持可能であってもよい。
【００１３】
基部の表面と貼り付け部の裏面とが同じ表面積を有することで、基部と貼り付け部とを積層した際には一体の治具本体とすることができる。よって、治具本体に熱硬化性材料を貼り付ける際には基部が邪魔になることなく、容易に貼り付け作業を行うことができる。また貼り付け部及び基部は同じ材質からなるため、治具本体を製造する際には、例えば治具本体を一体に形成した後に基部と貼り付け部とを切断する作業を行うことで、容易に基部と貼り付け部とに分離可能な治具本体を製造することができる。
【００１４】
また、本発明の一態様に係る複合材の製造方法は、複合材の成形治具の治具本体の表面に熱硬化性材料を貼り付ける工程と、前記熱硬化性材料の加熱を行う加熱装置内に設けられた支持部材上に、前記治具本体の材質よりも熱伝導率の小さい材質からなる断熱部材を設置する工程と、前記表面とは反対側の裏面に前記断熱部材が接触するように前記断熱部材上に前記熱硬化性材料を貼り付けた前記治具本体を設置する工程と、前記熱硬化性材料及び前記治具本体を前記断熱部材上に設置した後に、前記加熱装置によって前記熱硬化性材料及び前記治具本体を加熱する工程と、を含んでいる。
【００１５】
このような製造方法によれば、治具本体に熱硬化性材料が貼り付けられた状態で、治具本体とともに熱硬化性材料が加熱された際、治具本体から支持部材への放熱が断熱部材によって抑えられる。このため治具本体が昇温し易くなり治具本体の加熱時間を短縮することができる。
【００１６】
また、上記の製造方法では、前記治具本体上に前記熱硬化性材料を貼り付ける工程を実行した後であって、前記断熱部材上に前記治具本体及び前記熱硬化性材料を設置する前に、前記治具本体における前記熱硬化性材料を表面に貼り付けた貼り付け部から、前記貼り付け部に積層されて前記貼り付け部における前記表面とは反対側の裏面側から前記貼り付け部を支持する基部を分離して取り除く工程をさらに含んでもよい。
【００１７】
また、本発明の一態様に係る複合材の製造方法は、複合材の成形治具の治具本体に、熱硬化性材料を貼り付ける工程と、前記熱硬化性材料を表面に貼り付けた前記治具本体における貼り付け部から、前記貼り付け部に積層されて前記貼り付け部の前記表面とは反対側の裏面側から前記貼り付け部を支持する基部を分離して取り除く工程と、前記裏面に前記支持部材が接触するように前記支持部材上に前記熱硬化性材料を貼り付けた前記貼り付け部を設置する工程と、前記熱硬化性材料及び前記貼り付け部を前記支持部材上に設置した後に、前記加熱装置によって前記熱硬化性材料及び前記貼り付け部を加熱する工程と、を含んでいる。
このような製造方法によれば、治具本体の貼り付け部に熱硬化性材料を貼り付けた後に、材料が貼り付けられていない基部を分離し、材料が貼り付けられた貼り付け部のみを加熱装置で加熱することになる。この結果、加熱前には貼り付け部と基部とを含むことで容積が大きい状態で治具本体に熱硬化性材料を貼り付けることができるため、熱硬化性材料を貼り付ける際の作業性が低下することがない。また加熱時には貼り付け部から基部を分離して取り除くことで治具本体の容積を小さくでき、治具本体の熱容量を小さくできる。このため、治具本体が昇温し易くなり、治具本体の加熱時間を短縮することができる。
【発明の効果】
【００１８】
本発明の複合材の成形治具、及び複合材の製造方法によれば、複合材の材料の加熱硬化時間の短縮を図ることが可能である。
【図面の簡単な説明】
【００１９】
【図１】本発明の実施形態に係る成形治具を設置したオートクレーブの内部を示す正面図である。
【図２】本発明の実施形態に係る成形治具を設置したオートクレーブの内部を示す側面図である。
【図３】本発明の実施形態に係る成形治具を用いた複合材の製造方法の手順を示す図であって、熱硬化性材料を治具本体に載置した状態を示す斜視図である。
【図４】本発明の実施形態に係る成形治具を用いた複合材の製造方法の手順を示す図であって、熱硬化性材料を治具本体に貼り付けた状態を示す斜視図である。
【図５】本発明の実施形態に係る成形治具を用いた複合材の製造方法の手順を示す図であって、熱硬化性材料を貼り付けた治具本体から基部を取り除いた状態を示す斜視図である。
【図６】本発明の実施形態に係る成形治具を用いた複合材の製造方法の手順を示す図であって、熱硬化性材料を貼り付けた治具本体を加熱している状態を示す斜視図である。
【図７】本発明の実施形態の変形例に係る成形治具を設置したオートクレーブの内部を示す正面図である。
【発明を実施するための形態】
【００２０】
以下、図面を参照して本発明の実施形態に係る複合材Ｃの成形治具１００及び複合材Ｃの製造方法について説明する。本実施形態では複合材Ｃは炭素繊維強化プラスチック（ＣＦＲＰ）である場合について説明を行うが、複合材Ｃは炭素繊維強化プラスチックに限定されるものではない。
図１に示すように、成形治具１００が設置されるオートクレーブ１は、例えば炭素繊維に熱硬化性樹脂を含浸させたプリプレグシート（熱硬化性材料）Ｐを成形治具１００に複数積層した状態で加圧加熱処理を施すことで、プリプレグシートＰを接着硬化させて複合材Ｃを得る加熱装置である。
このオートクレーブ１は、外側容器１０と、内側容器１１と、ヒータ１５と、ファン１６とを備えている。
【００２１】
外側容器１０は、水平方向に延在する円筒形状をなして内部に密閉された空間が形成された圧力容器である。
【００２２】
内側容器１１は、外側容器１０の内側の上記空間に外側容器１０の内壁面と間隔をあけて設置された容器であって、外側容器１０と同様に水平方向に延在する円筒状をなして内部に密閉された空間Ｓ１が形成された圧力容器である。本実施形態においては外側容器１０と内側容器１１とは、中心軸線を一致させた同心円状に配置されている。そしてこれら外側容器１０及び内側容器１１の延在方向の両端の少なくとも一方は、開閉可能な構造を有している。外側容器１０及び内側容器１１を開放することによって、内側容器１１の空間Ｓ１内に成形治具１００に積層したプリプレグシートＰを、成形治具１００とともに設置することが可能となっている。
【００２３】
また、内側容器１１の空間Ｓ１には、成形治具１００が載置されて、成形治具１００を下方から支持する支持部材１８が設けられている。この支持部材１８は、上下方向に延在して下端が内側容器１１の内周面に固定された支持脚１８ａと、これら複数の支持脚１８ａに支持されて水平面に沿って延在する平板状をなす架台１８ｂとを有している。
【００２４】
外側容器１０と内側容器１１との間の空間へはガス導入装置（不図示）によって高圧のガスが導入される。即ち、外側容器１０と内側容器１１との間の空間は、上記ガス導入装置によって導入されたガスが加熱されるとともに循環するガス流路Ｒとなっている。このガス流路Ｒは、内側容器１１の外周面の全周にわたって内側容器１１を取り巻くように設けられている。内側容器１１の下部には、内側容器１１の内側の空間Ｓ１とガス流路Ｒとを連通するように内側容器１１を貫通するガス流入口１２が設けられている。内側容器１１の上部には内側容器１１の内側の空間Ｓ１とガス流路Ｒとを連通するように内側容器１１を貫通するガス流出口１３が形成されている。
【００２５】
以下では、外側容器１０及び内側容器１１の延在方向となる軸線方向（図１の紙面奥行き方向、及び図２の紙面に向かって左右方向）を奥行き方向と称し、外側容器１０及び内側容器１１の中心軸線に直交する水平方向を幅方向と称する。
【００２６】
ヒータ１５は、ガス流路Ｒを循環するガスを加熱する装置であって、本実施形態では図１に示すように空間Ｓ１の幅方向両側で、ガス流路Ｒ内に一つずつ配置されている。ガス流路Ｒを流通するガスがヒータ１５に接触することで、ガスが昇温される。
【００２７】
ファン１６は、例えば内側容器１１のガス流出口１３の上方でガス流路Ｒ内に配置されて、ガス流路Ｒの上部から下方に向けてガスを押し出すことで、ガスをガス流路Ｒ内で循環させる。このファン１６は奥行き方向に間隔をあけて複数設けられている。
【００２８】
次に成形治具１００について説明する。
図１及び図２に示すように成形治具１００は、支持部材１８の架台１８ｂに上に設置される。
図３から図５に示すように、成形治具１００はプリプレグシートＰが貼り付けられる治具本体２０と、治具本体２０と架台１８ｂとの間に介在されて設けられる断熱部材２１とを備えている。
【００２９】
治具本体２０は、プリプレグシートＰが貼り付けられる貼り付け部２２と、貼り付け部２２を下方から支持する基部２３とを有している。
貼り付け部２２は、上方に向かって幅方向の寸法が小さくなる断面台形状のブロック状をなしている。貼り付け部２２の材質は、例えばＳＳ４００、アルミ、銅、グラフェン等であって、より熱伝導率の高い材質であることが好ましい。貼り付け部２２の表面（上面）２２ａには、プリプレグシートＰが貼り付けられる。
【００３０】
基部２３は、貼り付け部２２の表面２２ａとは反対側の貼り付け部２２の裏面（下面）２２ｂを下方から支持する表面（上面）２３ａを有している。基部２３の表面２３ａは貼り付け部２２の裏面２２ｂと同じ表面積を有して断面矩形状のブロック状をなしている。基部２３の材質は貼り付け部２２の材質と同じである。貼り付け部２２の裏面２２ｂと基部２３の表面２３ａとは面接触して、基部２３の表面２３ａに貼り付け部２２の裏面２２ｂがちょうど対向し、基部２３と貼り付け部２２とが積層された状態で貼り付け部２２にプリプレグシートＰが貼り付けられる。よって基部２３と貼り付け部２２とは分離可能となっている。基部２３と貼り付け部２２とは不図示のボルト等の固定具によって分離可能に固定されてもよい。
【００３１】
断熱部材２１、プリプレグシートＰの加熱を行う際に、架台１８ｂの上に設置される。断熱部材２１は治具本体２０の材質に比べて熱伝導率の小さい材質からなる。断熱部材２１の具体例としては、発泡プラスチック及び発泡金属等の発泡材や、ポリエステル繊維を編み込んだものが挙げられる。本実施形態では、断熱部材２１は平板状をなしている。
【００３２】
次に、複合材Ｃの製造方法について説明する。
図３及び図４に示すようにまず、治具本体２０の貼り付け部２２にプリプレグシートＰを貼り付ける工程を実行する。この際、プリプレグシートＰの幅方向の両端を引っ張るようにしてプリプレグシートＰを貼り付け部２２の表面２２ａ及び幅方向を向く両側面２２ｃに沿わせる。また貼り付け部２２の表面２２ａにプリプレグシートＰを載置した後に貼り付け部２２の表面２２ａに対してプリプレグシートＰを押し付けることでプリプレグシートＰを貼り付け部２２に貼り付けてもよい。プリプレグシートＰの貼り付けはオートクレーブ１の外で実施される。
【００３３】
次に、図５に示すように治具本体２０の貼り付け部２２にプリプレグシートＰを貼り付けた後に、貼り付け部２２から基部２３を分離して取り除く工程を実行する。これにより治具本体２０の容積を小さくする。
【００３４】
その後、図６に示すようにオートクレーブ１内の架台１８ｂ上に断熱部材２１を設置する。そして図７に示すように、断熱部材２１上にプリプレグシートＰを貼り付けた貼り付け部２２のみを設置する。
最後に、治具本体２０の貼り付け部２２とともに、プリプレグシートＰをオートクレーブ１によって加熱硬化させる。
【００３５】
以上説明した本実施形態の成形治具１００、及び複合材Ｃの製造方法によれば、成形治具１００の治具本体２０における貼り付け部２２にプリプレグシートＰが貼り付けられた状態で貼り付け部２２とともにプリプレグシートＰが加熱された際、貼り付け部２２の裏面２２ｂ側から支持部材１８への放熱が断熱部材２１によって抑えられる。このため治具本体２０の貼り付け部２２が昇温し易くなり治具本体２０の加熱時間を短縮することができる。
【００３６】
また治具本体２０が基部２３と貼り付け部２２とに分離可能であるので、治具本体２０にプリプレグシートＰを貼り付けた後に、プリプレグシートＰが貼り付けられていない基部２３を分離し、治具本体２０のうちのプリプレグシートＰが貼り付けられた貼り付け部２２のみを加熱することができる。
【００３７】
ここで加熱前に治具本体２０に基部２３が設けられず貼り付け部２２のみが設けられている場合には、治具本体２０の高さ方向の寸法が小さくなってしまう。このためプリプレグシートＰの幅方向の両端を下方から引っ張るスペースが小さくなってしまう。このためプリプレグシートＰの幅方向の両端を引っ張ることで貼り付け部２２の側面２２ｃにプリプレグシートＰを完全に沿わせることが難しくなる。
【００３８】
しかし本実施形態では、加熱前には治具本体２０が貼り付け部２２と基部２３とを含んでいることで、治具本体２０の容積が大きい（高さ寸法が大きい）状態で治具本体２０にプリプレグシートＰを貼り付けることができる。このため、プリプレグシートＰを治具本体２０に貼り付ける際の作業性が低下することがない。
【００３９】
また加熱前に貼り付け部２２から基部２３を分離して取り除くことで、加熱時には治具本体２０の容積を小さくでき、治具本体２０の熱容量を小さくできる。このため、治具本体２０が昇温し易くなり、治具本体２０の加熱時間を短縮することができる。よって複合材を成形する際のプリプレグシートＰの加熱硬化時間の短縮を図ることが可能となる。
【００４０】
また基部２３の表面２３ａと貼り付け部２２の裏面２２ｂとが同じ表面積を有することで、基部２３と貼り付け部２２とを積層した際には一体の治具本体２０とすることができる。よって治具本体２０にプリプレグシートＰを貼り付ける際には基部２３が邪魔になることなく、容易に治具本体２０にプリプレグシートＰを貼り付けることができる。また貼り付け部２２及び基部２３は同じ材質からなるため、治具本体２０を製造する際には、例えば治具本体２０を一体に形成した後に基部２３と貼り付け部２２とを切断する作業を行うことで、基部２３と貼り付け部２２とを容易に製造することができる。
【００４１】
以上、本発明の実施形態について詳細を説明したが、本発明の技術的思想を逸脱しない範囲で、必ずしもこれらに限定されることはなく、多少の設計変更も可能である。
例えば図７に示すように成形治具１００は断熱部材２１を備えていなくともよい。即ち、成形治具１００Ａは、基部２３及び貼り付け部２２を有する治具本体２０のみを備えていてもよい。
【００４２】
また治具本体２０の貼り付け部２２と基部２３とは互いに異なる材質からなっていてもよいがこの場合であっても、断熱部材２１の材質は貼り付け部２２の材質よりも熱伝導率が小さい材質である必要がある。
また基部２３は、貼り付け部２２を下方から支持する複数の脚であってもよい。
また断熱部材２１は平板状をなす場合に限られない。例えば断熱部材２１は基部２３と同様に貼り付け部２２を下方から支持するブロック状をなしていてもよい。
【００４３】
また加熱装置はオートクレーブ１に限定されず、加圧作用のない硬化炉であってもよいし、治具本体２０を直接加熱するような装置であってもよい。
【符号の説明】
【００４４】
１…オートクレーブ（加熱装置）  
１０…外側容器  
１１…内側容器  
１２…ガス流入口  
１３…ガス流出口  
１５…ヒータ  
１６…ファン  
１８…支持部材  
１８ａ…支持脚  
１８ｂ…架台  
２０…治具本体  
２１…断熱部材  
２２…貼り付け部  
２３…基部  
Ｓ１…空間  
Ｒ…ガス流路  
Ｐ…プリプレグシート  
Ｃ…複合材  
１００、１００Ａ…成形治具
【図１】
2020147009.tif 000003
【図２】
2020147009.tif 000004
【図３】
2020147009.tif 000005
【図４】
2020147009.tif 000006
【図５】
2020147009.tif 000007
【図６】
2020147009.tif 000008
【図７】
2020147009.tif 000009